(57)【要約】【課題】遮光構造の簡素化。【解決手段】光透過性カバー（６）の内側に配置されるカメラ（４）とライト（５）とが配置される。光透過性カバー（６）には、カメラ（４）とライト（５）の間で光導波路（１６）が形成される。光透過性カバー（６）は、光導波路（１６）の近傍で同体に連結している。ライト（５）から放出され光透過性カバー（６）に侵入してその内部で散乱する散乱光のうち光透過性カバー（６）の中で導かれる迷光は光導波路（１６）により遮断される。光導波路は、簡素に形成され、部品点数の増大を招かず、防水性と防塵性を劣化させない。【選択図】          図４
2006010997.tif 000002
【特許請求の範囲】
【請求項１】
携帯電話器本体と、
前記携帯電話器本体に外装されている光透過性カバーと、
前記光透過性カバーの内側に配置されるカメラと、
前記カメラに近接的に配置され前記光透過性カバーの内側に配置されるライトとを具え、
前記光透過性カバーには、前記カメラと前記ライトの間で光導波路が形成され、
前記光透過性カバーは、
前記カメラの側に配置されるカメラ側部分と、
前記ライトの側に配置されるライト側部分とを備え、
前記カメラ側部分は前記ライト側部分に前記光導波路の近傍で同体に連結している
カメラ付き携帯電話器。
【請求項２】
前記カメラ側部分と前記ライト側部分とは一体成形により成形されて一体に連結している
請求項１のカメラ付き携帯電話器。
【請求項３】
前記光導波路は複数条に形成されている
請求項１のカメラ付き携帯電話器。
【請求項４】
前記光導波路は、前記光透過性カバーに形成される溝として形成され、前記溝には導波体が埋め込まれ、前記光透過性カバーの屈折率は前記導波体の屈折率に等しくない
請求項１のカメラ付き携帯電話器。
【請求項５】
前記光導波路の一部は、前記カメラの光軸線と前記ライトの光軸線を含む面に概ね直交する直交方向に延びている
請求項４のカメラ付き携帯電話器。
【請求項６】
前記光透過性カバーの内側面と外側面は互いに概ね平行である概平面として形成され、前記光導波路は、前記カメラの光軸線と前記ライトの光軸線を含む面に概ね直交し互いに対向する２つの光反射面を形成し、前記２つの光反射面のいずれかは前記概平面に斜めに交叉する斜面として形成されている
請求項１のカメラ付き携帯電話器。
【請求項７】
前記光透過性カバーの内側面と外側面は互いに概ね平行である概平面として形成され、前記光導波路は、前記カメラの光軸線と前記ライトの光軸線を含む面に概ね直交し互いに対向する２つの光反射面を形成し、前記２つの光反射面は前記概平面に斜めに交叉する斜面として形成されている
請求項１のカメラ付き携帯電話器。
【請求項８】
前記光導波路は前記光透過性カバーの外側面で開放され、前記光導波路の端部の底面は前記外側面に向かって延びる斜面として形成されている
請求項１〜７から選択される１請求項のカメラ付き携帯電話器。
【発明の詳細な説明】
【技術分野】
【０００１】
本発明は、カメラ付き携帯電話器に関し、特に、遮光構造を有するカメラ付き携帯電話器に関する。
【背景技術】
【０００２】
カメラと携帯電話の複合化が推進されている。そのような複合化の推進のために電話器の本体にストロボが付加される。そのようなストロボ（発光器）を電話器の本体に外付けして配置する技術は、特許文献１で知られている。発光器とカメラとの配置関係は重要である。特許文献２の技術は、発光器とカメラを横１列に配置することにより、発光器が放射する光がカメラのレンズ系に侵入することを防止している。
【０００３】
カメラのレンズ系に迷光が入ることを防止する技術は、光学分野では常套手段として多様に知られている。特許文献３の迷光入射防止技術では、光学部品系に溝が形成されている。その小型化と量産性と低コストが強く求められるカメラ付き携帯電話器には、これに相応しい遮光技術が求められる。
【０００４】
カメラ付き携帯電話器には、小型化と量産性と低コストを実現する遮光性を有することが求められる。量産性と低コストのためには、部品数低減が効果的である。更には、防水性又は防塵性とが求められる。
【０００５】
【特許文献１】特開平２００４−４８４６９号
【特許文献２】特開２００１−３２０６２２号
【特許文献３】特開昭５６−６５１０１号
【発明の開示】
【発明が解決しようとする課題】
【０００６】
本発明の課題は、簡素に遮光構造が与えられるカメラ付き携帯電話器を提供することにある。
本発明の他の課題は、小型化と量産性のために部品点数の増大を招かないカメラ付き携帯電話器を提供することにある。
本発明の更に他の課題は、防水性と防塵性とを充足するカメラ付き携帯電話器を提供することにある。
【課題を解決するための手段】
【０００７】
本発明によるカメラ付き携帯電話器は、携帯電話器本体（１）と、携帯電話器本体（１）に外装されている光透過性カバー（６）と、光透過性カバー（６）の内側に配置されるカメラ（４）と、カメラ（４）に近接的に配置され光透過性カバー（６）の内側に配置されるライト（５）と、その他の必要機器とから構成されている。光透過性カバー（６）には、カメラ（４）とライト（５）の間で光導波路（１６）が形成されている。光透過性カバー（６）は、カメラ（４）の側に配置されるカメラ側部分（１７）と、ライト（５）の側に配置されるライト側部分（１８）と、その他の部分とから形成されている。カメラ側部分（１７）はライト側部分（１８）に光導波路（１６）の近傍で同体に連結している。光透過性カバー（６）は、通常通り、広域に内部を覆う１枚樹脂窓として形成される。光導波路（１６）は通常溝として形成されるが、その溝により光透過性カバーが分割的に分断されずに一体に結合し、光導波路の形成のために強度が弱くなったり防水性が失われることはない。従って、光導波路の近傍では、光透過性カバーは一体に又は同体に連続的に連結していることが必要的に好ましい。
【０００８】
ライト（５）から放出され光透過性カバー（６）に侵入してその内部で散乱し又は光透過性カバーの内側面と外側面とで反射する反射光のうち光透過性カバー（６）の中で導かれる迷光は、光導波路（１６）の両側側面と底面のような反射面で反射し又は光導波路で誘導されてカメラに対して向かう光量が減少し、カメラの光学系に侵入する光の光量が減少する。このように、ライトとカメラとの間に配置される光導波路（１６）は、遮光性に優れている。光導波路の形成は、原則的に部品点数を増大させず、既述の一体性により強度を保持し、且つ、防水性と防塵性を劣化させない。
【０００９】
カメラ側部分（１７）とライト側部分（１８）とは一体成形により成形されて一体に連結していることが量産性のために更に優れていて、且つ、防水性と防塵性は完全である。光導波路の複数条の形成は、遮蔽効果を等比級数的に増大させる。
【００１０】
光導波路（１６）は、光透過性カバー（６）に形成される溝として簡素に形成される。この場合には、溝には導波体（２８）が埋め込まれことが強度確保の点で好ましい。光透過性カバー（６）の屈折率は導波体（２８）の屈折率に等しくないので、溝を形成する面の反射性は失われない。光透過性カバー（６）と導波体（２８）を異材質一体成形により一体化することにより、光導波路の溝に底面を形成する必要はない。
【００１１】
光導波路（１６）の一部は、カメラの光軸線とライトの光軸線を含む面（Ｓ）に概ね直交する直交方向に延びていることが遮光性を良好にする点で特に望ましい。この場合に、光透過性カバー（６）の内側面と外側面は互いに概ね平行である概平面として形成され、光導波路（１６）は、カメラの光軸線とライトの光軸線を含む面（Ｓ）に概ね直交し互いに対向する２つの光反射面（２２，２３）を形成し、２つの光反射面のいずれか又は両面は概平面に斜めに交叉する斜面として形成されることが遮光性の点で特に好ましい。
【００１２】
光導波路（１６）は光透過性カバー（６）の外側面で開放され、光導波路（１６）の端部の底面（２４：図８の反射外側面の斜面）は外側面に向かって延びる斜面として形成されていることが遮光性の点で特に優れている。
【発明の効果】
【００１３】
本発明によるカメラ付き携帯電話器は、遮光構造を簡素に形成することができる。
【発明を実施するための最良の形態】
【００１４】
本発明によるカメラ付き携帯電話器の実施の最良の形態は、図に対応して、詳細に記述される。カメラ付き携帯電話器の外装は、図１に示されるように、電話器の本体ケーシング１として形成されている。本体ケーシング１には、それの表面側に配置される表示画面２が取り付けられている。アンテナ３は、本体ケーシング１に対して出没自在に取り付けられている。本体ケーシング１には、外付け又は内付けにより、カメラ付き携帯電話器を構成する諸機器１００（図２参照）が内蔵されている。諸機器１００は、アンテナ３と双方向にそれぞれに接続する送受信部、画像処理部、音声処理部、スピーカ、マイク、操作キー、その他の機器から構成されている。
【００１５】
本体ケーシング１には、外付けによりカメラ４とライト５が配置されて取り付けられている。ライト５は、カメラ４よりアンテナ３が伸びる方向に離隔して近接的に配置されている。図１は、縦１列に配置されるカメラ４とライト５の位置関係を示している。カメラ４とライト５とは、透明（光透過性）カバーであるスクリーン６の内側に内蔵されている。スクリーン６は、カメラ４とライト５の外側面を含む包囲領域７で本体ケーシング１に一体に又は同体に取り付けられている。カメラ４の光学系は、レンズ、光電変換画素集合（例示：ＣＣＤ集合）により形成されている。レンズは光電変換画素集合の外側（表側）に配置され、スクリーン６はレンズの外側に配置されている。このように、レンズは、スクリーン６と光電変換画素集合との間に配置されている。スクリーン６の材料としては、量産性、低コスト性、組立容易性のために、透明性樹脂（光透過性樹脂）特にアクリル樹脂が好ましい。
【００１６】
本体ケーシング１は、図２に示されるように、リアパーツ８とフロントパーツ９の向かい合わせの結合として構成されている。フロントパーツ９には、パッド１０が装着されている。スクリーン６は、フロントパーツ９の段面１１に接合している。ライト５の発光部位１２は、フロントパーツ９に開けられている装着穴に嵌め込まれてフロントパーツ９に固定されている。発光部位１２の前面（光放出面）は、スクリーン６の裏面に近接し又は接合している。
【００１７】
諸機器１００は、基準基体（例示：ＬＣＤフレーム）１３に固着されて支持されている。基準基体１３は、本体ケーシング１に固定的に支持されている。カメラ４は、基準基体１３に固定されている。カメラ４の既述のレンズ１４は、スクリーン６の裏面に対して対接している。表示画面２は、基準基体１３に固着されている。
【００１８】
スクリーン６には、反射性光導波路１６が形成されている。反射性光導波路１６は、図１と図２に示されるように、カメラ４とライト５との間に位置している。スクリーン６は、図３に示されるように、カメラ側透明カバー部分１７とライト側透明カバー部分１８とから形成されている。カメラ側透明カバー部分１７は、カメラ４とライト５の間でライト側透明カバー部分１９から領域的に分断されているが、結合部分２１によりライト側透明カバー部分１８に一体化されてライト側透明カバー部分１８に連続して結合している。図４に示されるように、カメラ側透明カバー部分１８の反射端面２２とライト側透明カバー部分１７の反射端面２３と結合部分２１の反射外側面２４は、１条の溝を形成している。反射性光導波路１６は、このような溝として提供されている。溝である反射性光導波路１６は、スクリーン６の外側面の側で開放されている。反射性光導波路１６が延びる導波方向は、カメラ４の概中心光軸線Ｐと概中心光軸線Ｐに概ね平行であるライト５の概中心光軸線Ｑとを含む基準平面Ｓ（図３参照）に概ね直交している。反射性光導波路１６は、基準平面Ｓに対して概ね対称に形成されている。
【００１９】
ライト５からコーン状に放出される撮影対象照射光２５の一部は、ライト側透明カバー部分１８の中で多様に散乱し（例示：レーリー散乱（屈折散乱））、その散乱光のうちの第１光線２５−１は、ライト側透明カバー部分１８の表側反射面２６で反射し、次にライト側透明カバー部分１８の反射端面２２で反射してライト側透明カバー部分１８の側に戻り込む。ライト側透明カバー部分１８の反射端面２２を通過する第２光線２５−２の一部分は、カメラ側透明カバー部分１７の反射端面２３で反射してカメラ側透明カバー部分１７の中に侵入しない。散乱光のうち反射性光導波路１６が延びる方向（カメラ４の中心光軸線とライト５の中心光軸線の対向方向に直交する直交方向Ａ）の成分を持つ第３光線２５−３は、図５に示されるように、反射性光導波路１６の反射端面２２と反射端面２３とで全反射的に反射し、反射性光導波路１６が延びる方向に導かれてカメラ４には向かわない。
【００２０】
図６は、反射性光導波路１６の実施の他の好ましい形態を示している。反射性光導波路１６の反射端面２２と反射端面２３は、カメラ４の中心光軸線Ｐに対して斜めに形成されている。特に、反射性光導波路１６の反射端面２３は、それの内側から外側に向かってライト５の中心光軸線Ｑからカメラ４の中心光軸線Ｐに向かう方向に傾斜している。反射端面２２を通過する第４光線２５−４はより高い全反射効率で反射端面２３で外側に向かって反射し、カメラ４に向かう光線量はより少なくなる。図５の第３光線２５−３は、反射性光導波路１６に導かれてより外側に向かう確率が高い。
【００２１】
図７は、反射性光導波路１６の実施の更に他の好ましい形態を示している。反射性光導波路１６の反射端面２３は、曲面に形成されている。その曲面は、カメラ４の中心光軸線とライト５の中心光軸線とを含む面からより遠い位置でよりカメラ４の中心光軸線に向かう方向に曲げられ、更に、図６に示されるような斜め成分を有している。第５光線２５−５は、カメラ４に向かう確率が更に低くなる。
【００２２】
図８は、反射性光導波路１６の実施の更に他の好ましい形態を示している。反射性光導波路１６の反射外側面２４は、末端部位又は両端部位で、反射性光導波路１６の両端側でより浅い底面形状に形成されている。反射性光導波路１６に案内される第６光線２５−６は、外側方向に反射され、スクリーン６に再度に侵入する確率がより小さくなる。
【００２３】
図３に示される反射性光導波路１６、図６に示される反射性光導波路１６、図７に示される反射性光導波路１６は、それぞれに複数条化される。このような複数化は、ライト５からカメラ４に向かう迷光量を等比級数的に減少させることができる。
【００２４】
図９は、反射性光導波路１６の実施の更に他の好ましい形態を示している。カメラ４とライト５の間の領域でスクリーン６に単数の穴が反射性光導波路１６として形成されている。本形態の反射性光導波路１６は、図１０に示されるように、部分球面、部分楕円面のような凹曲面２７に形成されている。第６光線２５−７は、外側方向に反射される。このような凹面状の穴は、複数化され得る。
【００２５】
図１１は、反射性光導波路１６の実施の更に他の好ましい形態を示している。反射端面２２と反射端面２３と反射外側面２４とで形成される溝には、導波体２８が埋め込まれている。導波体２８は、透明（光透過性）であり、非アクリル樹脂特に内部反射（散乱）率が低い材料でることが好ましい。カメラ側透明カバー部分１７の屈折率とライト側透明カバー部分１８の屈折率は、導波体２８の屈折率にそれぞれに等しくしなく、反射端面２２又は反射端面２３の反射率の低下を好ましい程度に抑制することができ、且つ、スクリーン６の機械的強度の低下を有効に抑制することができる。
【図面の簡単な説明】
【００２６】
【図１】図１は、本発明によるカメラ付き携帯電話器の実施の好ましい形態を示す平面図である。
【図２】図２は、図１の側面断面図である。
【図３】図３は、図１の一部を詳細に示す平面図である。
【図４】図４は、図３のＩＶ−ＩＶ線断面図である。
【図５】図５は、図３のＶ−Ｖ線断面図である。
【図６】図６は、本発明によるカメラ付き携帯電話器の実施の好ましい他の形態を示す側面断面図である。
【図７】図７は、図１の一部の実施の他の好ましい形態の詳細に示す平面図である。
【図８】図８は、本発明によるカメラ付き携帯電話器の実施の好ましい更に他の形態を示す正面断面図である。
【図９】図９は、本発明によるカメラ付き携帯電話器の実施の好ましい更に他の形態を示す平面図である。
【図１０】図１０は図９のＸ−Ｘ線断面図である。
【図１１】図１１は、本発明によるカメラ付き携帯電話器の実施の更に他の好ましい形態を示す側面断面図である。
【符号の説明】
【００２７】
１…携帯電話器本体
４…カメラ
５…ライト
６…光透過性カバー
１６…光導波路
１７…カメラ側部分
１８…ライト側部分
２２…光反射面
２３…光反射面
２４…底面
２８…導波体
Ｓ…面
【図１】
2006010997.tif 000003
【図２】
2006010997.tif 000004
【図３】
2006010997.tif 000005
【図４】
2006010997.tif 000006
【図５】
2006010997.tif 000007
【図６】
2006010997.tif 000008
【図７】
2006010997.tif 000009
【図８】
2006010997.tif 000010
【図９】
2006010997.tif 000011
【図１０】
2006010997.tif 000012
【図１１】
2006010997.tif 000013